(57)【要約】【課題】携帯通信端末を用いたプリントサービスの充実を図ることである。【解決手段】プリント作成システム１００における携帯電話１は、入力部１２の操作により、フォトアルバム作成用のテンプレートを指定するとともに、画像データのサムネイル画像及び当該サムネイル画像の特定情報が印刷されたインデックスプリント（注文票）を参照しながら、テンプレート内の各画像フレームにはめ込む画像を指定し、指定内容をプリントサービスサーバ２に送信する。プリントサービスサーバ２は、上記指定されたテンプレート内の各画像フレームに上記指定された画像を合成することで、フォトアルバムを作成する。【選択図】　　図１
2004048284.tif 000002
【特許請求の範囲】
【請求項１】
携帯通信端末と、前記携帯通信端末によるプリント注文に応じてプリント作成を行うプリント作成装置から構成されるプリント作成システムであって、
前記携帯通信端末は、
画像フレームのレイアウトが異なる複数のプリント見本の中から、プリント注文に必要なプリント見本を指定するとともに、その指定されたプリント見本内の画像フレームにはめ込む画像を指定する指定手段と、
前記指定手段による指定内容を前記プリント作成装置に送信する送信手段と、を備え、
前記プリント作成装置は、
画像フレームのレイアウトが異なる複数のプリント見本データ及び前記携帯通信端末のユーザ保有の画像データを記憶する記憶手段と、
前記送信手段により送信された前記指定内容を受信する受信手段と、
前記記憶手段から、前記受信手段により受信された前記指定内容において指定されたプリント見本及び画像のデータを読み出す読出手段と、
前記受信手段により受信された前記指定内容に基づいて、前記読出手段により読み出されたプリント見本データ内の画像フレームに、前記読出手段により読み出された画像データをはめ込んでプリント作成を行うプリント作成手段と、
を備えることを特徴とするプリント作成システム。
【請求項２】
前記指定手段は、前記画像フレームにはめ込む画像に付与するコメントを更に指定することを特徴とする請求項１記載のプリント作成システム。
【請求項３】
前記指定手段は、前記携帯通信端末のユーザ保有の画像データのサムネイル画像及びそのサムネイル画像の特定情報に基づいて、前記画像フレームにはめ込む画像を指定することを特徴とする請求項１又は２記載のプリント作成システム。
【請求項４】
携帯通信端末と、前記携帯通信端末によるプリント注文に応じてプリント作成を行うプリント作成装置から構成されるプリント作成システムであって、
前記携帯通信端末は、
携帯通信端末のユーザ保有の画像データのサムネイル画像及びそのサムネイル画像の特定情報に基づいて、プリント注文を行う画像を指定する指定手段と、
前記指定手段による指定内容を前記プリント作成装置に送信する送信手段と、を備え、
前記プリント作成装置は、
前記携帯通信端末のユーザ保有の画像データを記憶する記憶手段と、
前記送信手段により送信された前記指定内容を受信する受信手段と、
前記記憶手段から、前記受信手段により受信された前記指定内容において指定された画像のデータを読み出す読出手段と、
前記読出手段により読み出された画像データのプリント作成を行うプリント作成手段と、
を備えることを特徴とするプリント作成システム。
【発明の詳細な説明】
【０００１】
【発明の属する技術分野】
本発明は、プリント作成システムに関する。
【０００２】
【従来の技術】
近時、写真画像のデジタル化や、急速なブロードバンド化の流れにより、インターネット経由でのフォトサービスが展開されており、例えば、インターネットを介したプリントサービスや、インターネット上でフォトアルバムの作成を行うサービス等が展開されている。また、最近では、ＰＣ（Ｐｅｒｓｏｎａｌ　Ｃｏｍｐｕｔｅｒ）上でフォトアルバムの作成を行ってプリンタで印刷するためのソフトウェア等が市販されている。
【０００３】
【発明が解決しようとする課題】
しかしながら、上述のようなインターネット経由のプリントサービスは、認知度が低く、一部のＰＣユーザにしか利用されていないというのが現状である。最近では、携帯電話等の携帯通信端末のユーザが急速に増加しており、携帯通信端末を用いたプリントサービスが開始されている。しかしながら、携帯通信端末を用いたプリントサービスは、表示画面の大きさの限界等の理由から、ＰＣを用いたプリントサービスに比べてサービス内容が充実しているとは言えなかった。
【０００４】
本発明の課題は、携帯通信端末を用いたプリントサービスの充実を図ることである。
【０００５】
【課題を解決するための手段】
上記課題を解決するため、請求項１記載の発明は、
携帯通信端末と、前記携帯通信端末によるプリント注文に応じてプリント作成を行うプリント作成装置から構成されるプリント作成システムであって、
前記携帯通信端末は、
画像フレームのレイアウトが異なる複数のプリント見本の中から、プリント注文に必要なプリント見本を指定するとともに、その指定されたプリント見本内の画像フレームにはめ込む画像を指定する指定手段と、
前記指定手段による指定内容を前記プリント作成装置に送信する送信手段と、を備え、
前記プリント作成装置は、
画像フレームのレイアウトが異なる複数のプリント見本データ及び前記携帯通信端末のユーザ保有の画像データを記憶する記憶手段と、
前記送信手段により送信された前記指定内容を受信する受信手段と、
前記記憶手段から、前記受信手段により受信された前記指定内容において指定されたプリント見本及び画像のデータを読み出す読出手段と、
前記受信手段により受信された前記指定内容に基づいて、前記読出手段により読み出されたプリント見本データ内の画像フレームに、前記読出手段により読み出された画像データをはめ込んでプリント作成を行うプリント作成手段と、
を備えることを特徴としている。
【０００６】
請求項１記載の発明によれば、画像フレームのレイアウトが決められたプリント見本を用いて、携帯通信端末によるプリント注文が可能になることにより、携帯通信端末を利用したプリントサービスの充実を図ることができる。
【０００７】
請求項２記載の発明は、請求項１記載のプリント作成システムにおいて、
前記指定手段は、前記画像フレームにはめ込む画像に付与するコメントを更に指定することを特徴としている。
【０００８】
請求項２記載の発明によれば、画像フレームにはめ込む画像に付与するコメントを指定可能にしたことにより、表現豊かなプリント作成が可能になる。
【０００９】
請求項３記載の発明は、請求項１又は２記載のプリント作成システムにおいて、
前記指定手段は、前記携帯通信端末のユーザ保有の画像データのサムネイル画像及びそのサムネイル画像の特定情報に基づいて、前記画像フレームにはめ込む画像を指定することを特徴としている。
【００１０】
請求項３記載の発明によれば、携帯通信端末のユーザ保有の画像データのサムネイル画像及びそのサムネイル画像の特定情報に基づいて、前記画像フレームにはめ込む画像を指定することにより、携帯通信端末のユーザは、プリント見本内の画像フレームにはめ込む画像を容易に確認することができる。
【００１１】
請求項４記載の発明は、
携帯通信端末と、前記携帯通信端末によるプリント注文に応じてプリント作成を行うプリント作成装置から構成されるプリント作成システムであって、
前記携帯通信端末は、
携帯通信端末のユーザ保有の画像データのサムネイル画像及びそのサムネイル画像の特定情報に基づいて、プリント注文を行う画像を指定する指定手段と、
前記指定手段による指定内容を前記プリント作成装置に送信する送信手段と、を備え、
前記プリント作成装置は、
前記携帯通信端末のユーザ保有の画像データを記憶する記憶手段と、
前記送信手段により送信された前記指定内容を受信する受信手段と、
前記記憶手段から、前記受信手段により受信された前記指定内容において指定された画像のデータを読み出す読出手段と、
前記読出手段により読み出された画像データのプリント作成を行うプリント作成手段と、
を備えることを特徴としている。
【００１２】
請求項４記載の発明は、携帯通信端末のユーザ保有の画像データのサムネイル画像及びそのサムネイル画像の特定情報に基づいて携帯通信端末によるプリント注文が可能になることにより、携帯通信端末を利用したプリントサービスの充実を図ることができる。
【００１３】
【発明の実施の形態】
以下、図を参照して本発明の実施の形態を詳細に説明する。
まず、構成を説明する。
【００１４】
図１は、本発明を適用したプリント作成システム１００の全体構成を示す図である。プリント作成システム１００は、図１に示すように、携帯電話１、プリントサービスサーバ２及び基地局３から構成され、携帯電話１は、プリントサービスサーバ２と、通信ネットワークＮにより、基地局３を介して接続されている。
【００１５】
通信ネットワークＮは、電話回線網、ＩＳＤＮ回線網、専用線、移動体通信網、通信衛星回線、ＣＡＴＶ回線網等の各種通信回線と、それらを接続するインターネットサービスプロバイダを含む。
【００１６】
なお、図１においては、携帯電話１とプリントサービスサーバ２が１対１で構成される場合を示したが、現実のプリント作成システムのように、１台のプリントサービスサーバ２と複数台の携帯電話１で構成される場合であっても、本発明のプリント作成システムは適用可能である。
【００１７】
以下、本実施の形態のプリント作成システム１００を構成する各部について説明する。
【００１８】
携帯電話１は、図２に示すように、制御部１１、入力部１２、表示部１３、アンテナ１４１を有する無線通信制御部１４、送受話部１５により構成され、各部は、バス１６により接続される。
【００１９】
制御部１１は、ＣＰＵ（Ｃｅｎｔｒａｌ　Ｐｒｏｃｅｓｓｉｎｇ　Ｕｎｉｔ）、ＲＡＭ（Ｒａｎｄｏｍ　Ａｃｃｅｓｓ
Ｍｅｍｏｒｙ）、ＲＯＭ（Ｒｅａｄ　Ｏｎｌｙ　Ｍｅｍｏｒｙ）等により構成される。
【００２０】
制御部１１内のＣＰＵは、ＲＯＭに格納された携帯電話１用の各種処理プログラムに従って各種の制御動作を行う。
【００２１】
制御部１１内のＲＡＭは、ＣＰＵにより実行された処理プログラム等を、ＲＡＭ内のプログラム格納領域に展開するとともに、入力データや上記処理プログラムが実行される際に生じる処理結果等をワークエリアに格納する。
【００２２】
制御部１１内のＲＯＭは、携帯電話１で実行可能なシステムプログラム、当該システムプログラムで実行可能な各種処理プログラム及びその処理プログラムで処理されたデータ等を格納する。これらのプログラムは、コンピュータが読み取り可能なプログラムコードの形でＲＯＭに格納されている。
【００２３】
入力部１２は、テンキーや各種ファンクションキー等を有し、そのキー操作による押下信号を制御部１１に出力する。なお、この入力部１２は、特許請求の範囲における指定手段としての機能を有する。
【００２４】
表示部１３は、ＬＣＤ（Ｌｉｑｕｉｄ　Ｃｒｙｓｔａｌ　Ｄｉｓｐｌａｙ）パネル等により構成され、制御部１１から入力される表示信号に従って所要の表示処理を行う。表示部１３での表示例を図９〜図１１に示す。
【００２５】
無線通信制御部１４は、アンテナ１４１を有しており、制御部１１から入力される制御信号に従って、基地局３との間で携帯電話用の通信プロトコルを実行し、送受話音声の送受信やデータ通信を行う。なお、この無線通信制御部１４は、制御部１１とともに、特許請求の範囲における送信手段としての機能を有する。
【００２６】
送受話部１５は、マイク、スピーカー、Ａ／Ｄ変換部、及びＤ／Ａ変換部を有し、マイクから入力されるユーザの送話音声をＡ／Ｄ変換処理して、その送話音声データを制御部１１に出力するとともに、制御部１１から入力される受話音声データをＤ／Ａ変換処理して、受話音声としてスピーカーから出力する。
【００２７】
図１に示したプリントサービスサーバ２は、図３に示すように、制御部２１、画像合成部２２、プリント部２３、通信制御部２４、会員／画像情報記憶部２５、テンプレート情報記憶部２６により構成され、各部は、バス２７により接続される。なお、プリントサービスサーバ２は、各部が一体的に構成されるようにしてもよいが、何れか一つ以上を別体として設けるようにし、別体として設けられた各々が通信制御部を有し、各々が通信ネットワークＮ上に分散されるようにしてもよい。
【００２８】
制御部２１は、ＣＰＵ、ＲＡＭ、ＲＯＭ等により構成される。制御部２１内のＣＰＵは、ＲＯＭに格納されたプリントサービスサーバ２用の各種処理プログラムに従って各種の制御動作を行う。
【００２９】
制御部２１内のＲＡＭは、ＣＰＵにより実行され処理プログラム等を、ＲＡＭ内のプログラム格納領域に展開するとともに、入力データや上記処理プログラムが実行される際に生じる処理結果等をワークエリアに格納する。
【００３０】
制御部２１内のＲＯＭは、プリントサービスサーバ２で実行可能なシステムプログラム、当該システムプログラムで実行可能なプリント作成処理プログラム及びそのプリント作成処理プログラムで利用されるデータ等を格納している。これらのプログラムは、コンピュータが読み取り可能なプログラムコードの形でＲＯＭに格納されている。
【００３１】
具体的には、携帯電話１のユーザが保有する画像データに対する処理の注文票が発行され、当該注文票に付与された注文Ｎｏ．を取得すると、制御部２１は、携帯電話１の携帯メールアドレス宛てに、当該注文Ｎｏ．に対応するサービス案内メールを送信する。
【００３２】
また、制御部２１は、携帯電話１のユーザから受け付けたフォトアルバム作成の注文内容に基づいて、テンプレート情報記憶部２６、会員／画像情報記憶部２５から、それぞれ、注文内容で指定されたテンプレートデータ、画像データを読み出し、画像合成部２２に対し、当該テンプレートデータへの当該画像データの合成を指示する。
【００３３】
更に、制御部２１は、画像合成部２２における画像合成によりフォトアルバムが作成されると、プリント部２３に対し、作成されたフォトアルバムの印刷出力を指示する。なお、この制御部２１は、特許請求の範囲における読出手段としての機能を有する。
【００３４】
画像合成部２２は、制御部２１の制御信号に従って、指定されたテンプレートに、指定された画像を合成する合成処理を実行する。例えば、画像合成部２２は、フォトアルバム作成用のテンプレート（図８参照）内の各画像フレーム（写真▲１▼、写真▲２▼、…）に、指定された画像を合成する。なお、この画像合成部２２は、特許請求の範囲におけるプリント作成手段としての機能を有する。
【００３５】
プリント部２３は、給紙部（図示略）と排紙部（図示略）等を備え、制御部２１からの制御信号に従って印刷用紙に印刷出力する。プリント部２３における印刷方式は、インクジェット方式、熱転写方式、レーザー方式、熱転写方式、昇華型方式、ＴＡ方式等の何れの方式も使用可能である。
【００３６】
通信制御部２４は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、通信ネットワークＮを介して、携帯電話１や他の外部機器と通信を行うための通信制御を行う。なお、この通信制御部２４は、制御部２１とともに、特許請求の範囲における受信手段としての機能を有する。
【００３７】
会員／画像情報記憶部２５は、ＨＤ（Ｈａｒｄ　Ｄｉｓｋ）等を備え、プリントサービスに登録された各会員から預かった画像データ、サービスに必要な各種処理プログラム、各種処理プログラムに必要なデータ等を格納している。これらの処理プログラムや、処理プログラムに必要なデータは、通信制御部２４を介して外部から書き換えることができる。また、この会員／画像情報記憶部２５は、各会員から預かった画像データを管理するために、画像データ情報２５３（図５参照）を格納する。なお、会員／画像情報記憶部２５の記憶内容は、通信制御部２４を介して他の装置に格納されるようにしてもよい。
【００３８】
会員情報２５１は、プリントサービスに会員登録された会員に関する情報を格納したのもので、図４（ａ）に示すように、「会員Ｎｏ．」、「氏名」、「電話番号」、「携帯メールアドレス」の各項目を対応付けて格納している。
【００３９】
会員情報２５１において、「会員Ｎｏ．」項目は、プリントサービスに会員登録された各会員に付与された会員番号を記憶し、「氏名」項目は、各会員の氏名を記憶し、「電話番号」項目は、各会員の自宅の電話番号（又は携帯電話の番号）を記憶し、「携帯メールアドレス」項目は、各会員が保有する携帯電話に設定されたメールアドレスを記憶する。
【００４０】
注文票発行履歴２５２は、各会員が保有する画像データに施す各種処理（プリント処理、メディア書き込み処理、フォトアルバム作成処理）の注文をするための注文票の発行履歴を格納したのもで、図４（ｂ）に示すように、会員Ｎｏ．毎に、「受付日時」及び「注文Ｎｏ．」を対応付けて格納している。
【００４１】
注文票発行履歴２５２において、「受付日付」項目は、画像データに施す各種処理を注文した日付（注文票を発行した日付）を記憶し、「注文Ｎｏ．」項目は、画像データに施す各種処理を注文するための注文票発行の際に、制御部２１により付与された注文番号を記憶する。
【００４２】
画像データ情報２５３は、各会員から預かった画像データに関する情報を格納したもので、図４（ｃ）に示すように、注文Ｎｏ．毎に、「Ｎｏ．」、「パス名」、「ファイル名（フラット）」の各項目を対応付けて格納している。
【００４３】
画像データ情報２５３において、「Ｎｏ．」項目は、画像データ内のファイル毎に付与された画像番号を記憶する。「Ｎｏ．」項目で設定される各画像番号は、一つの注文Ｎｏ．内でユニークに設定された番号であり、これらの画像番号は、画像データに施す各種処理を注文するための注文票上に印刷出力されることになる（図６参照）。
【００４４】
画像データ情報２５３において、「パス名」項目は、各会員から預かった画像データ内の各画像ファイルのディレクトリパスを記憶し、「ファイル名（フラット）」項目は、「パス名」項目の各画像ファイルを特定するために付与されたファイル名を記憶している。この「ファイル名（フラット）」項目で設定されるファイル名は、各会員から預かった画像データのディレクトリ構造をフラットなディレクトリ構造に構築し直した場合のファイル名である。
【００４５】
また、会員／画像情報記憶部２５は、注文Ｎｏ．毎に、フォトアルバム作成に使用するテンプレートの注文回数を記憶している。
【００４６】
テンプレート情報記憶部２６は、フォトアルバム作成用のテンプレートに関する情報として、テンプレート番号、テンプレートの種類及びテンプレートデータとを対応付けて格納している。テンプレート番号は、各テンプレートを識別するための番号を示す。また、テンプレートデータとしては、装飾画像（植物、動物、各種模様）のデータ及びテンプレート内の各画像フレームの位置データが含まれている。なお、テンプレート情報記憶部２６の記憶内容は、通信制御部２４を介して他の装置に格納されるようにしてもよい。
【００４７】
フォトアルバム作成用のテンプレートの例を図５に示す。図５では、画像フレームのレイアウト、装飾画像及び印刷方向（縦、横）が異なる４種類のテンプレートを示しており、番号１、２、３、４は、テンプレート番号を示し、縦Ａ、縦Ｂ、横Ａ、横Ｂは、各テンプレートの種類を示している。
【００４８】
なお、会員／画像情報記憶部２５及びテンプレート情報記憶部２６は、特許請求の範囲における記憶手段としての機能を有する。
【００４９】
図１において、基地局３は、自己の設置場所から通信可能範囲に存在する携帯電話１との間で、所定の通信方式による携帯電話用の通信プロトコルを実行する。
【００５０】
次に、本実施の形態の動作を説明する。
まず、プリントサービスを提供する写真専門店や取次店等に設置された注文処理端末（図示略）により実行される注文票発行処理について説明する。
【００５１】
注文処理端末は、画像データ処理（プリント処理、メディア書き込み処理、フォトアルバム作成処理等）に必要な画像データが入力されると、入力された画像データに対してユニークな注文Ｎｏ．を付与するとともに、入力された画像データ内の各画像ファイルに対して、画像ファイルを特定するための画像番号を付与する。なお、注文処理端末に入力される画像データは、携帯電話１のユーザが保有するメディアに記録された画像データの他、フィルムやプリントに記録された写真画像をデジタル化したものを含む。
【００５２】
次いで、注文処理端末は、上記入力された画像データ内の各画像ファイルのサムネイル画像を作成し、図６に示すような注文票αを印刷出力する。注文票αには、図６に示すように、上部左側に注文Ｎｏ．、中央部にサムネイル画像が印刷され、各サムネイル画像の下部には、画像を特定するための画像番号（Ｎｏ．１、Ｎｏ．２、…）が印刷されている。
【００５３】
次いで、注文処理端末は、表示部に、携帯電話１のユーザの会員Ｎｏ．の入力を促す画面を表示させる。ここで、会員Ｎｏ．とは、後述の会員登録手続（図７のステップＳ１）によりプリントサービスに登録された各会員に付与された番号である。当該ユーザの会員Ｎｏ．が入力されると、注文処理端末は、通信ネットワークＮを介して、会員Ｎｏ．、注文Ｎｏ．及び上記入力された画像データをプリントサービスサーバ２に送信する。なお、会員Ｎｏ．を入力するタイミングは、特に限定されず、例えば、画像データの入力の際に、会員Ｎｏ．を同時に入力させるようにしてもよい。
【００５４】
携帯電話１のユーザは、注文処理端末により発行された注文票αに必要事項を記入してプリント注文やメディア書き込み注文を行うことができる。また、プリントサービスを提供する写真専門店や取次店等の店頭や新聞の折込広告等から、図５に示したような、フォトアルバム作成用のテンプレートを取得したユーザは、注文票α及び当該テンプレートに基づいて、フォトアルバム作成の注文を行うことができる。以下では、図５に示したテンプレートのうち、「１．縦Ａ」タイプのテンプレートに基づいて、フォトアルバム注文が行われるものとする。
【００５５】
「１．縦Ａ」タイプのテンプレートの詳細を図８に示す。図８に示すテンプレートには、装飾画像が印刷されるとともに、テンプレート内の各画像フレームには、画像フレームの位置を示す番号（写真▲１▼、写真▲２▼、…）が付されている。また、このテンプレートにおいては、タイトルが入力可能なスペースが設けられているとともに、各画像フレーム内の下部には、画像フレームにはめ込まれる画像に関するコメントが入力可能になっている。
【００５６】
図７のフローチャートを参照して、プリントサービスサーバ２及び携帯電話１の間の動作について説明する。
図７の左側に示したプリントサービスサーバ２の動作を示すフローチャートは、プリントサービスサーバ２を構成するコンピュータに各機能を実現させるためのプログラムを説明するためのものである。このプログラムは、制御部２１内のＣＰＵが読み取り可能なプログラムコードの形態でＲＯＭに格納されている例で説明するが、全ての機能をＲＯＭに格納する必要はなく、必要に応じて、その一部若しくは全部を通信ネットワークＮを介して通信制御部２４から受信して実現するようにしてもよい。
【００５７】
まず、プリントサービスサーバ２の制御部２１は、プリントサービスへの会員登録対象となる携帯電話１のユーザ情報（氏名、電話番号、携帯メールアドレス）を取得すると、当該ユーザに対して会員Ｎｏ．を付与し、入力されたユーザ情報を会員／画像情報記憶部２５内の会員情報２５１に登録する（ステップＳ１）。ユーザ情報を会員情報２５１に登録すると、制御部２１は、携帯電話１の携帯メールアドレス宛てに、上記で付与した会員Ｎｏ．を通知する。
【００５８】
なお、会員登録手続は種種の方法があり、例えば、携帯電話１のユーザが、必要事項が記入された会員登録用紙を写真専門店や取次店に直接持参し、店舗端末によって、登録内容をプリントサービスサーバ２に送信するようにしてもよい。また、会員登録を希望しているユーザが、必要事項が記入された会員登録用紙を、プリントサービスサーバ２が設置されたサービスセンター宛てに郵送し、サービスセンター側で、プリントサービスサーバ２に登録内容を入力することで、会員登録手続を行うようにしてもよい。
【００５９】
上記注文処理端末において注文票が発行され、通信ネットワークＮを介して、会員Ｎｏ．、注文Ｎｏ．及び画像データ処理（プリント処理、メディア書き込み処理、フォトアルバム作成処理等）に必要な画像データを取得すると（ステップＳ２）、制御部２１は、会員情報２５１から、ステップＳ２で取得した会員Ｎｏ．に対応する携帯メールアドレスを読み出し、その携帯メールアドレス宛てに、プリントサービスの案内メールを送信する（ステップＳ３）。また、このとき、制御部２１は、ステップＳ２で取得した注文Ｎｏ．及び画像データを対応付けて画像データ情報２５３に登録する。更に、制御部２１は、ステップＳ２で取得した会員Ｎｏ．の注文票発行履歴２５２に、受付日付（注文票を発行した日付）及び注文Ｎｏ．を対応付けて記憶する。
【００６０】
携帯電話１側では、まず、プリントサービスサーバ２から送信されたサービス案内メールが受信される（ステップＰ１）。サービス案内メールを読んだ携帯電話１のユーザにより、サービスメニューの表示が選択されると、表示部１３には、サービスメニューのトップページとして、図９（ａ）に示すようなメニュー画面が表示される。このメニュー画面では、メニュー項目別にリンクが貼られている。
【００６１】
例えば、「１．焼き増し注文」項目には、焼き増し注文ページへのリンクが貼られ、「２．フォトアルバム注文」項目には、フォトアルバム作成の注文ページへのリンクが貼られ、「３．注文履歴」項目には、携帯電話１のユーザによる各種注文履歴を示すページへのリンクが貼られている。「３．注文履歴」項目で示される注文履歴には、会員／画像情報記憶部２５内の注文票発行履歴２５２に格納された注文票発行履歴が含まれている。
【００６２】
「４．友達に教える」項目には、携帯電話１のユーザの友達や知り合いに、プリントサービスサーバ２が提供するサービスの内容を教えるためのページへのリンクが貼られている。「５．価格表」項目には、プリントサービスサーバ２が提供する各種サービスの価格を示すページへのリンクが貼られている。図示はしないが、図９（ａ）の画面を下方にスクロールすると、他のメニュー項目（免責事項、問合せ先等）が表示される。
【００６３】
入力部１２の操作により、図９（ａ）のメニュー画面において、「２．フォトアルバム注文」が選択されると（ステップＰ２）、表示部１３には、図９（ｂ）に示すようなフォトアルバム注文画面が表示され、入力部１２によりこのフォトアルバム注文画面に注文内容が入力される（ステップＰ３）。以下、図９及び図１０に示した表示画面を参照して、注文内容の入力について説明する。
【００６４】
フォトアルバム注文画面では、まず、画像データ処理のための注文を受付した日付（注文票を発行した日付）及び注文Ｎｏ．が表示されるとともに、「テンプレートタイプの指定」画面が表示され、ユーザには、フォトアルバム作成用のテンプレートタイプの指定及びその指定されたテンプレートの発行枚数の入力が促される。テンプレートタイプとしては、図５に示した４種類のテンプレートがあり、ユーザは、これら４種類のテンプレートの中から所望のものを選択する。ここでは、「１．縦Ａ」のテンプレート（図８参照）が１枚選択されたものとする。
【００６５】
テンプレートタイプが指定され、画面が下方にスクロールされると、図９（ｃ）に示すような「画像番号の指定」画面が表示され、ユーザには、図８のテンプレートの各画像フレーム（写真▲１▼、写真▲２▼、…）にはめ込む画像番号の入力が促される。ユーザは、例えば、写真▲１▼に対応する画像フレームに、注文票αの画像番号Ｎｏ．１の画像をはめ込むなど、各画像フレームにはめ込む画像を、注文票α中の画像から選択し、表示部１３上で、選択された画像番号を入力する。
【００６６】
各画像フレームにはめ込む画像の画像番号が指定され、画面が更に下方にスクロールされると、図９（ｄ）に示すような「一言メモの指定」画面が表示され、ユーザには、作成するフォトアルバムのタイトルの入力が促されるとともに、各画像フレームにはめ込まれる画像に添える一言メモの入力が促される。なお、タイトルや一言メモの入力には、携帯電話１内に予め格納された定型文を利用できるようにしてもよい。
【００６７】
図９（ｄ）の一言メモの入力が完了し、「注文」ボタンが選択されると、表示部１３には、図１０に示すように、図９（ｂ）、（ｃ）及び（ｄ）の画面で入力された注文内容の確認画面が表示される。注文内容を確認したユーザにより、「ＯＫ」ボタンが選択されると、上記で入力した入力内容は、プリントサービスサーバ２に送信される（ステップＰ４）。
【００６８】
プリントサービスサーバ２の制御部２１は、携帯電話１からの注文内容データの受信により注文の受付処理を行い（ステップＳ４）、その受信データに基づいてテンプレート注文票を作成し、その作成されたテンプレート注文票を携帯電話１に送信する。携帯電話１の表示部１３には、図１１に示すように、プリントサービスサーバ２から送信されたテンプレート注文票が表示される。
【００６９】
このテンプレート注文票は、図１１に示すように、画像データ処理のための注文を受付した日付（注文票を発行した日付）、注文Ｎｏ．、テンプレート注文日、テンプレートの注文回数、注文枚数、注文金額、テンプレートタイプ、各画像フレームにはめ込まれる画像の番号、タイトルや画像毎に添えられる一言メモ等が表示される。ここで、テンプレート注文日とは、フォトアルバム注文を行った日付である。
【００７０】
プリントサービスサーバ２の制御部２１は、ステップＳ４でフォトアルバム作成の注文を受け付けると、注文内容で指定されたテンプレートのデータをテンプレート情報記憶部２６から読み出すとともに、当該注文内容で指定された画像番号の画像ファイル（画像データ）を会員／画像情報記憶部２５内の画像データ情報２５３から読み出す。そして、制御部２１は、画像合成部２２に対し、その読み出されたテンプレートデータ内の各画像フレームに、指定された画像番号の画像データを合成するための制御信号を出力する。画像合成部２２は、制御部２１の制御信号に従って画像の合成処理を実行する（ステップＳ５）。
【００７１】
ステップＳ５における合成処理では、画像合成部２２は、テンプレート内の各画像フレームに割り当てられた画像番号の画像ファイルを画像データ情報２５３から読み出し、読み出した画像ファイル（画像データ）を、該当する画像フレームにはめ込む。
【００７２】
ステップＳ５の合成処理によりフォトアルバムが作成されると、制御部２１は、プリント部２３に対し、その作成されたフォトアルバムの印刷出力を指示する制御信号を出力し、プリント部２３は、制御部２１の制御信号に従って、上記作成されたフォトアルバムを印刷出力する（ステップＳ６）。ステップＳ４での受付内容に基づいて印刷出力されたフォトアルバムβの例を図１２に示す。
【００７３】
ステップＳ６で印刷出力されたフォトアルバムβは、携帯電話１のユーザにより指定された住所に配送されることになる。又は、携帯電話１のユーザ若しくはその関係者が、プリントサービスを提供する写真専門店や取次店の店頭で、フォトアルバムβを受け取るようにしてもよい。
【００７４】
以上のように、本実施の形態のプリント作成システム１００によれば、フォトアルバム作成用のテンプレートと、サムネイル画像が印刷された注文票αを利用して、携帯電話１によりフォトアルバム作成の注文を行うことが可能になることで、ＰＣを所有しない又はＰＣを自由に駆使できないＮｏｎ　ＰＣユーザであっても容易にフォトアルバム作成の注文を行うことができ、携帯電話１のような携帯通信端末によるプリントサービスの充実を図ることができる。
【００７５】
また、図６に示したような、サムネイル画像が印刷された注文票αを利用することで、携帯電話１のユーザは、テンプレート内の各画像フレームにはめ込む画像を容易に確認することができる。更に、サムネイル画像が印刷された注文票αを利用することで、携帯電話１の表示部１３に画像を表示させることなく、フォトアルバム作成の注文を行うことができる。
【００７６】
更に、フォトアルバム作成用のテンプレートには、予め装飾画像がデザインされている上に、ユーザ所望のタイトルの付与や、画像毎のコメントの付与が可能になることにより、表現豊かなフォトアルバム作成を行うことができる。
【００７７】
なお、本実施の形態における記述内容は、本発明の趣旨を逸脱しない範囲で適宜変更可能である。例えば、本実施の形態では、携帯電話１によりフォトアルバム作成の注文を行うようにしたが、ＰＤＡ（Ｐｅｒｓｏｎａｌ　Ｄｉｇｉｔａｌ　Ａｓｓｉｓｔａｎｔｓ）等の携帯情報端末で行ってもよい。また、フォトアルバムだけでなく、ポストカード、グリーティングカード、名刺等の作成も、上述と同様の形態で行うことが可能である。
【００７８】
【発明の効果】
請求項１記載の発明によれば、画像フレームのレイアウトが決められたプリント見本を用いて、携帯通信端末によるプリント注文が可能になることにより、携帯通信端末を利用したプリントサービスの充実を図ることができる。
【００７９】
請求項２記載の発明によれば、請求項１記載の発明の効果に加えて、画像フレームにはめ込む画像に付与するコメントを指定可能にしたことにより、表現豊かなプリント作成が可能になる。
【００８０】
請求項３記載の発明によれば、請求項１又は２記載の発明の効果に加えて、携帯通信端末のユーザ保有の画像データのサムネイル画像及びそのサムネイル画像の特定情報に基づいて、前記画像フレームにはめ込む画像を指定することにより、携帯通信端末のユーザは、プリント見本内の画像フレームにはめ込む画像を容易に確認することができる。
【００８１】
請求項４記載の発明によれば、携帯通信端末のユーザ保有の画像データのサムネイル画像及びそのサムネイル画像の特定情報に基づいて携帯通信端末によるプリント注文が可能になることにより、携帯通信端末を利用したプリントサービスの充実を図ることができる。
【図面の簡単な説明】
【図１】本発明を適用したプリント作成システム１００の全体構成を示す図。
【図２】図１に示した携帯電話１の内部構成を示すブロック図。
【図３】図１に示したプリントサービスサーバ２の内部構成を示すブロック図。
【図４】会員／画像情報記憶部２５に格納される会員情報２５１のデータ構成（同図（ａ））と、注文票発行履歴２５２のデータ構成（同図（ｂ））と、画像データ情報２５３のデータ構成を示す図。
【図５】フォトアルバム作成用のテンプレートの例を示す図。
【図６】画像データに施す処理（プリント処理、メディア書き込み処理等）を注文するための注文票αを示す図。
【図７】プリントサービスサーバ２及び携帯電話１の動作を説明するためのフローチャート。
【図８】フォトアルバム作成の注文に際して選択されたテンプレートを示す図。
【図９】携帯電話１の表示部１３に表示されたメニュー画面（同図（ａ））と、フォトアルバム注文画面（同図（ｂ）（ｃ）（ｄ））を示す図。
【図１０】携帯電話１の表示部１３に表示された注文内容確認画面を示す図。
【図１１】携帯電話１の表示部１３に表示されたテンプレート注文票画面を示す図。
【図１２】図８のテンプレートへの画像の合成により作成されたフォトアルバムβの例を示す図。
【符号の説明】
１　　携帯電話
１１　制御部
１２　入力部
１３　表示部
１４　無線通信制御部
１４１　アンテナ
１５　送受話部
１６　バス
２　　プリントサービスサーバ
２１　制御部
２２　画像合成部
２３　プリント部
２４　通信制御部
２５　会員／画像情報記憶部
２５１　会員情報
２５２　注文票発行履歴
２５３　画像データ情報
２６　テンプレート情報記憶部
２７　バス
３　　基地局
１００　プリント作成システム
α　　注文票
β　　フォトアルバム
【図１】
2004048284.tif 000003
【図２】
2004048284.tif 000004
【図３】
2004048284.tif 000005
【図４】
2004048284.tif 000006
【図５】
2004048284.tif 000007
【図６】
2004048284.tif 000008
【図７】
2004048284.tif 000009
【図８】
2004048284.tif 000010
【図９】
2004048284.tif 000011
【図１０】
2004048284.tif 000012
【図１１】
2004048284.tif 000013
【図１２】
2004048284.tif 000014